【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
ループアンテナと、
前記ループアンテナの近傍に配置され、前記ループアンテナに対して、独立した導体から構成される無給電素子と、を備えることを特徴とするアンテナ。
【請求項２】
前記無給電素子を、前記ループアンテナが形成される面と同じ面上に配置することを特徴とする請求項１に記載のアンテナ。
【請求項３】
前記無給電素子を、前記ループアンテナの外側に配置することを特徴とする請求項１又は２に記載のアンテナ。
【請求項４】
前記無給電素子を複数個配置することを特徴とする請求項１から３の何れか１項に記載のアンテナ。
【請求項５】
前記無給電素子は、前記ループアンテナに近接して配置する第１の部分と、この第１の部分に電気的に接続して配置する第２の部分を有し、
前記第１の部分は、前記ループアンテナの一部に対して、平行、或いは平行に近い状態で配置することを特徴とする請求項１から４の何れか１項に記載のアンテナ。
【請求項６】
前記無給電素子は、前記ループアンテナを略均等に二分する分割線に対して平行、或いは平行に近い部分が存在することを特徴とする請求項１から５の何れか１項に記載のアンテナ。
【請求項７】
前記ループアンテナ及び前記無給電素子を、誘電体上に配置することを特徴とする請求項１から６の何れか１項に記載のアンテナ。
【請求項８】
前記誘電体の一方の表面に接着層を配置し、他方の表面に前記ループアンテナ及び前記無給電素子を配置することを特徴とする請求項７に記載のアンテナ。
【請求項９】
少なくとも前記ループアンテナ及び前記無給電素子を保護する保護膜を配置することを特徴とする請求項７又は８に記載のアンテナ。
【請求項１０】
前記誘電体を透明な絶縁体フィルムで構成し、この絶縁体フィルムを自動車のガラス又は絶縁体で構成された外装部材に設置することを特徴とする請求項７から９の何れか１項に記載のアンテナ。
【請求項１１】
前記誘電体に、前記ループアンテナ及び前記無給電素子を複数個配置することを特徴とする請求項７から１０の何れか１項に記載のアンテナ。
【請求項１２】
前記誘電体に、前記ループアンテナ及び無給電素子を切り離し可能な切断部を備えることを特徴とする請求項１１に記載のアンテナ。
【請求項１３】
前記ループアンテナと中心を同じくする仮想円に接するように配置する略直線状の補助導体を備えることを特徴とする請求項１から１２の何れか１項に記載のアンテナ。
【請求項１４】
前記補助導体は、前記ループアンテナと同じ面に形成される他のアンテナの少なくとも一部であることを特徴とする請求項１３に記載のアンテナ。
【請求項１５】
前記ループアンテナの配置面と同じ面に、他のアンテナを備えることを特徴とする請求項１から１３の何れか１項に記載のアンテナ。
【請求項１６】
前記他のアンテナが、テレビ電波用、ラジオ電波用、自動車のキーレスエントリシステムの信号用、車両盗難防止装置の信号用、及び遠隔エンジン始動装置の信号用の少なくとも１つであることを特徴とする請求項１４又は１５に記載のアンテナ。
【請求項１７】
２つの給電端子を備えるループアンテナと、前記ループアンテナの近傍に配置され、前記ループアンテナに対して独立した導体から構成される無給電素子と、を備えるアンテナと、
前記２つの給電端子に接続される平衡入出力端子を備える平衡‐不平衡変換手段と、
前記平衡‐不平衡変換手段の不平衡入出力端子に接続される同軸ケーブル、又は給電手段に接続された導体を備えることを特徴とするアンテナ装置。
【請求項１８】
給電端子を備えるループアンテナと、前記ループアンテナの近傍に配置され、前記ループアンテナに対して独立した導体から構成される無給電素子と、を備えるアンテナと、
前記ループアンテナ及び前記無給電素子から送信する信号を入力するための第１の信号線又は第１のコネクタ、前記ループアンテナ及び無給電素子で受信した信号を外部に引き出すための第２の信号線又は第２のコネクタの少なくとも１つを備えることを特徴とするアンテナ装置。
【請求項１９】
給電端子を備えるループアンテナと、前記ループアンテナの近傍に配置され、前記ループアンテナに対して独立した導体から構成される無給電素子と、を備えるアンテナと、
前記アンテナの配置面と同じ面に配置される他のアンテナと、
前記ループアンテナ及び前記無給電素子から送信する信号を入力するための第１の信号線又は第１のコネクタ、前記ループアンテナ及び無給電素子で受信した信号を外部に引き出すための第２の信号線又は第２のコネクタの少なくとも１つと、
前記他のアンテナから送信する信号を入力するための第３の信号線又は第３のコネクタ、前記他のアンテナで受信した信号を外部に引き出すための第４の信号線又は第４のコネクタの少なくとも１つと、を備えることを特徴とするアンテナ装置。
【請求項２０】
前記他のアンテナが、複数設置されるテレビ電波用であり、
前記複数のテレビ受信用アンテナの内、テレビ電波を良好に受信可能なアンテナを選択するセレクタを備えることを特徴とする請求項１８に記載のアンテナ装置。
【請求項２１】
給電端子を備えるループアンテナと、前記ループアンテナの近傍に配置され、前記ループアンテナに対して独立した導体から構成される無給電素子と、を備えるアンテナと、
前記アンテナの配置面と同じ面に配置される他のアンテナと、
前記ループアンテナ及び前記無給電素子から送信する信号を入力するための第１の信号線又は第１のコネクタ、前記ループアンテナ及び前記無給電素子で受信した信号を外部に引き出すための第２の信号線又は第２のコネクタの少なくとも１つと、
前記他のアンテナから送信する信号を入力するための第３の信号線又は第３のコネクタ、前記他のアンテナで受信した信号を外部に引き出すための第４の信号線又は第４のコネクタの少なくとも１つと、
前記第１の信号線又は第１のコネクタへ信号を供給、又は前記第２の信号線又は第２のコネクタからの信号を処理する処理手段と、を備えたことを特徴とする処理装置。
【請求項２２】
前記処理手段がナビゲーション装置であることを特徴とする請求項２１に記載の処理装置。
【手続補正２】
【補正対象書類名】明細書
【補正対象項目名】発明の名称
【補正方法】変更
【補正の内容】
【発明の名称】アンテナ、アンテナ装置、及び処理装置
【手続補正３】
【補正対象書類名】明細書
【補正対象項目名】０００１
【補正方法】変更
【補正の内容】
【０００１】
本発明はアンテナ、アンテナ装置、及び処理装置に関し、特に、自動車等の移動体において、移動体のデザインを損ねることなく移動体に取り付けられて使用されるアンテナ、アンテナ装置、及び処理装置に関する。
【手続補正４】
【補正対象書類名】明細書
【補正対象項目名】０００８
【補正方法】変更
【補正の内容】
【０００８】
そこで、本発明は、アンテナを構成する線状の導体を１つの面を形成するように配置することにより、アンテナを薄型化して車両の内部に搭載可能とし、車両のデザインを損なう虞を無くすと共に、アンテナが視界を遮る虞がなく、更に、給電構造が簡易で、主に円偏波を良好に送信及び／又は受信することが可能なアンテナ、アンテナ装置、及びこのアンテナを用いた処理装置を提供することを目的としている。
【手続補正５】
【補正対象書類名】明細書
【補正対象項目名】０００９
【補正方法】変更
【補正の内容】
【０００９】
また、本発明の他の目的は、車両に搭載する必要のあるその他のアンテナをできるだけ多くこの薄型アンテナに組み込むことにより、アンテナ搭載スペースを削減し、アンテナのコストを低減したアンテナ、アンテナ装置、及びこのアンテナを用いた処理装置を提供することにある。
【手続補正６】
【補正対象書類名】明細書
【補正対象項目名】００１０
【補正方法】変更
【補正の内容】
【００１０】
前記目的を達成する本発明のアンテナ、アンテナ装置、及びこのアンテナを用いた処理装置は、以下の第１から第５の形態をとることができる。
【手続補正７】
【補正対象書類名】明細書
【補正対象項目名】００１１
【補正方法】変更
【補正の内容】
【００１１】
第１の形態は、ループアンテナと、ループアンテナの近傍に配置され、ループアンテナに対して、独立した導体から構成される無給電素子と、を備えることを特徴とするアンテナである。
【手続補正８】
【補正対象書類名】明細書
【補正対象項目名】００１２
【補正方法】変更
【補正の内容】
【００１２】
第２の形態は、２つの給電端子を備えるループアンテナと、ループアンテナの近傍に配置され、ループアンテナに対して独立した導体から構成される無給電素子とを備えるアンテナと、２つの給電端子に接続される平衡入出力端子を備える平衡‐不平衡変換手段と、平衡‐不平衡変換手段の不平衡入出力端子に接続される同軸ケーブル、又は給電手段に接続された導体を備えることを特徴とするアンテナ装置である。
【手続補正９】
【補正対象書類名】明細書
【補正対象項目名】００１３
【補正方法】変更
【補正の内容】
【００１３】
第３の形態は、給電端子を備えるループアンテナと、ループアンテナの近傍に配置され、ループアンテナに対して独立した導体から構成される無給電素子とを備えるアンテナと、ループアンテナ及び無給電素子から送信する信号を入力するための第１の信号線又は第１のコネクタ、ループアンテナ及び無給電素子で受信した信号を外部に引き出すための第２の信号線又は第２のコネクタの少なくとも１つを備えることを特徴とするアンテナ装置である。
【手続補正１０】
【補正対象書類名】明細書
【補正対象項目名】００１４
【補正方法】変更
【補正の内容】
【００１４】
第４の形態は、給電端子を備えるループアンテナと、ループアンテナの近傍に配置され、ループアンテナに対して独立した導体から構成される無給電素子とを備えるアンテナと、アンテナの配置面と同じ面に配置される他のアンテナと、ループアンテナ及び無給電素子から送信する信号を入力するための第１の信号線又は第１のコネクタ、ループアンテナ及び無給電素子で受信した信号を外部に引き出すための第２の信号線又は第２のコネクタの少なくとも１つと、他のアンテナから送信する信号を入力するための第３の信号線又は第３のコネクタ、他のアンテナで受信した信号を外部に引き出すための第４の信号線又は第４のコネクタの少なくとも１つとを備えることを特徴とするアンテナ装置である。
【手続補正１１】
【補正対象書類名】明細書
【補正対象項目名】００１５
【補正方法】変更
【補正の内容】
【００１５】
第５の形態は、給電端子を備えるループアンテナと、ループアンテナの近傍に配置され、ループアンテナに対して独立した導体から構成される無給電素子とを備えるアンテナと、アンテナの配置面と同じ面に配置される他のアンテナと、ループアンテナ及び無給電素子から送信する信号を入力するための第１の信号線又は第１のコネクタ、ループアンテナ及び無給電素子で受信した信号を外部に引き出すための第２の信号線又は第２のコネクタの少なくとも１つと、他のアンテナから送信する信号を入力するための第３の信号線又は第３のコネクタ、他のアンテナで受信した信号を外部に引き出すための第４の信号線又は第４のコネクタの少なくとも１つと、第１の信号線又は第１のコネクタへ信号を供給、又は第２の信号線又は第２のコネクタからの信号を処理する処理手段とを備えたことを特徴とする処理装置である。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】変更
【補正の内容】
【００４９】
本発明によれば、給電構造が簡単で、円偏波を送信及び／又は受信することができるアンテナ、アンテナ装置、及び処理装置が提供される。また、薄型の誘電体に各種のアンテナを設置することができる上に、車両の誘電体に設置することもできるため、車両デザインを損なう虞がなく、アンテナが損傷したり、盗難被害に合う等の虞がないという効果がある。更に、薄型の誘電体を透明フィルムとすることにより、運転者の視界を遮る虞がないという効果がある。更にまた、車両に搭載する必要のあるその他のアンテナをできるだけ多くこの薄型アンテナに組み込むことにより、複数種類の電波用のアンテナ搭載スペースが削減され、ケーブルを統合することができるので、アンテナの車両への搭載性、取付性が向上し、アンテナの設置コストが低減されるという効果もある。